(57)【特許請求の範囲】
【請求項１】
光ファイバの先端に取り付けられた第一の部品の端面に第二の部品を接合する際、第一の部品と第二の部品の軸心を互いに一致させ、第一の部品の回転角度を第二の部品の回転角度に対して調整した後、第一の部品と第二の部品を近付け、その状態で両者を互いに接合する光ファイバ用端末部品取付け装置において、
前記第一の部品の回転方向の動きに同期させて光ファイバを自動的に繰り出しまたは引き込む光ファイバ送り装置を備えたことを特徴とする光ファイバ用端末部品取付け装置。
【発明の詳細な説明】
【０００１】
【発明の属する技術分野】
光ファイバの先端に取り付けられた第一の部品の端面に、第二の部品を、軸心を一致させ且つ相対的な回転角度を調整した状態で接合する際に使用される光ファイバ用の端末部品取付け装置に係る。
【０００２】
【従来の技術】
図３（側面図）及び図４（平面図）に、従来の光ファイバ用の端末部品取付け装置の例を示す。
【０００３】
光ファイバ１には、先端に第一の部品３が既に取り付けられている。この装置を使用して、第一の部品３の先端に、更に第二の部品４がスリーブ５を介して接合される。ここで、光ファイバ１及び第二の部品４が非軸対称の特性を備えている場合、第一の部品３の回転角度に対して第二の部品４の回転角度を所定の状態に調整した後、両者を互いに接合する必要がある。
【０００４】
この端末部品取付け装置は、上クランプ２１、下クランプ２５、移動台１５、移動ステージ２３などからなる調心装置部と、スリーブ用クランプ１９及びレーザ光源２７などからなる接合装置部を備えている。
【０００５】
ベース１１の上には門型フレーム１２が設置されている。門型フレーム１２の間には移動台１５が支持されている。移動台１５には軸受けを介してシャフト１７が支持され、シャフト１７の下端には上クランプ２１が取り付けられている。門型フレーム１２の上にはモータ１３が配置され、このモータ１３は、移動台１５を門型フレーム１２に沿って上下方向に移動させる際に使用される。移動台１５の上にはモータ１６が配置されている。このモータ１６は、シャフト１７の上端に接続され、上クランプ２１の回転角度（首振り角度）を±１８０°の範囲内で調整する際に使用される。第一の部品３は、接合面を下に向けて上クランプ２１に把持される。
【０００６】
移動台１５の前面から下側にアーム１８が伸び、このアーム１８の先にスリーブ用クランプ１９が取り付けられている。このスリーブ用クランプ１９は、スリーブ５を把持するために使用される。
【０００７】
上クランプ２１の下方には移動ステージ２３が配置されている。この移動ステージ２３は、ベース１１の上に支持され、水平面内で移動することができる。移動ステージ２３の上には下クランプ２５が取り付けられている。第二の部品４は、接合面を上に向けて下クランプ２５に把持される。
【０００８】
更に、ベース１１の上には、スリーブ５の端面に向けて側方からレーザ光を照射する様に、複数のレーザ光源２７が配置されている。
【０００９】
次に、この装置の使用方法について説明する。
【００１０】
光ファイバ１の先端に取り付けられている第一の部品３を、接合面を下に向けて上クランプ２１で把持する。第一の部品３の下端部の外側にスリーブ５を装着し、このスリーブ５をスリーブ用クランプ１９で把持する。第二の部品４を、接合面を上に向けて下クランプ２５で把持する。
【００１１】
移動ステージ２３を水平面内で駆動して、第二の部品４の軸心を第一の部品３の軸心に合わせる。上クランプ２１の回転角度を調整して、第一の部品３の回転角度を第二の部品４の回転角度に合わせる。次いで、上クランプ２１を下降させて、第一の部品３の端面を第二の部品４の端面に近付ける。これに伴い、第二の部品４の上端部の外側にスリーブ５の下端部分が被せられる。最後に、スリーブ５の上端面及び下端面に向けてレーザ光源２７からレーザ光を照射し、第一の部品３と第二の部品４をスリーブ５を介して互いに接合する。
【００１２】
（従来技術の問題点）
従来の装置では、上クランプ２１を回転させて第一の部品３の回転角度を調整する際、第一の部品３の後方に取り付けられている光ファイバ１が、ある時は大きく弛み、またある時は弛みを無くして引っ張られる。そこで、装置のオペレータは、常に光ファイバ１の弛み具合を監視し、付属機器に絡んだりあるいは引っ張られて破断しないように、光ファイバ１の繰り出し量を調整する必要があった。
【００１３】
【発明が解決しようとする課題】
本発明は、以上のような従来の光ファイバ用の端末部品取付け装置の問題点に鑑み成されたものである。本発明の目的は、光ファイバの先端に端末部品を接合する際、光ファイバの弛み具合を適切な状態に維持しながら端末部品の軸心調整作業を行うことができる端末部品取付け装置を提供することにある。
【００１４】
【課題を解決するための手段】
本発明の光ファイバ用端末部品取付け装置は、
光ファイバの先端に取り付けられた第一の部品の端面に第二の部品を接合する際、第一の部品と第二の部品の軸心を互いに一致させ、第一の部品の回転角度を第二の部品の回転角度に対して調整した後、第一の部品と第二の部品を近付け、その状態で両者を互いに接合する光ファイバ用端末部品取付け装置において、
前記第一の部品の回転方向の動きに同期させて光ファイバを自動的に繰り出しまたは引き込む光ファイバ送り装置を備えたことを特徴とする。
【００１５】
本発明の光ファイバ用端末部品取付け装置によれば、上記のような光ファイバ送り装置を設け、第一の部品の回転角度を第二の部品の回転角度に対して調整する際、この装置を用いて第一の部品の回転方向の動きに同期させて光ファイバを自動的に繰り出しまたは引き込む。これによって、光ファイバの弛み具合が常に適切な状態に維持されるので、装置のオペレータを光ファイバの弛み具合を監視する作業から解放することができる。
【００１６】
なお、上記のような光ファイバ送り装置を設ける代わりに、光ファイバに作用する張力を一定に保つ張力負荷装置を設けることによっても、同等の効果を実現することができる。
【００１７】
【発明の実施の形態】
図１（側面図）及び図２（平面図）に、本発明に基づく光ファイバ用の端末部品取付け装置の例を示す。図中、１は光ファイバ、３は第一の部品、４は第二の部品、２１は上クランプ、２５は下クランプ、３０は光ファイバ送り装置を表わす。
【００１８】
本発明の端末部品取付け装置は、上クランプ２１、下クランプ２５、移動台１５、移動ステージ２３などからなる調心装置部と、スリーブ用クランプ１９及びレーザ光源２７などからなる接合装置部に加えて、光ファイバ送り装置部３０を備えている。
【００１９】
本発明の装置と従来の装置（図３、図４）の相違点は、本発明の装置が光ファイバ送り装置３０を備えているところにある。その他の部分の構成は、先に図３及び図４を用いて説明したものと共通であるので、それらについては、同一の符号を付してその説明は省略する。
【００２０】
光ファイバ送り装置３０は、門型フレーム１２の背面側に取り付けられている。この光ファイバ送り装置３０は、サポートロール３１及びニッププロール３２を備えている。ニップロール３２は、スプリングによってサポートロール３１に対して押し付けられている。光ファイバ１は、サポートロール３１とニップロール３２の間を通って、上クランプ２１の先端部に供給される。光ファイバ１の先端には第一の部品３が取り付けられている。この第一の部品３は接合面を下に向けて上クランプ２１に把持される。これに対して、第二の部品４は、接合面を上に向けて下クランプ２５に把持される。
【００２１】
サポートロール３１は、サーボモータ（図示せず）によって駆動される。このサーボモータは、サポートロール３１の外周の速度が上クランプ２１の外周の速度に対して同期するように制御される。これによって、第一の部品３の回転角度を第二の部品４の回転角度に対して調整する際、上クランプ２１の回転角度が±１８０゜の範囲で変化しても光ファイバ１の弛み具合が適切な状態で維持されるように、光ファイバ送り装置３０から光ファイバ１が繰り出されまたは引き込まれる。
【００２２】
【発明の効果】
本発明の光ファイバ用端末部品取付け装置によれば、上記のような光ファイバ送り装置を設けることによって、第一の部品の回転角度を第二の部品の回転角度に対して調整する際、光ファイバの弛み具合を適切な状態に自動的に維持することができる。従って、装置のオペレータを光ファイバの弛み具合を監視する作業から解放することができる。
【図面の簡単な説明】
【図１】本発明の光ファイバ用端末部品取付け装置の側面図。
【図２】本発明の光ファイバ用端末部品取付け装置の平面図。
【図３】従来の光ファイバ用端末部品取付け装置の側面図。
【図４】従来の光ファイバ用端末部品取付け装置の平面図。
【符号の説明】
１・・・光ファイバ、
３・・・第一の部品、
４・・・第二の部品、
５・・・スリーブ、
１１・・・ベース、
１２・・・門型フレーム、
１３・・・モータ、
１５・・・移動台、
１６・・・モータ、
１７・・・シャフト、
１８・・・アーム、
１９・・・スリーブクランプ、
２１・・・上クランプ、
２３・・・移動ステージ、
２５・・・下クランプ、
２７・・・レーザ光源、
３０・・・光ファイバ送り装置、
３１・・・ニップロール、
３２・・・サポートロール。
【図１】
0004489330.tif 000002
【図２】
0004489330.tif 000003
【図３】
0004489330.tif 000004
【図４】
0004489330.tif 000005